(57)【要約】【課題】  所望する使用目的のＩＣチップを用いて非接触ＩＣユニットを構成できるようにする。【解決手段】  頁にアンテナ３を設け、このアンテナ３には所望するＩＣチップ２が選択的に接続されて非接触ＩＣユニット１が構成される。【選択図】      図２
2008250531.tif 000002
【特許請求の範囲】
【請求項１】
頁にアンテナを設け、
前記アンテナには、所望するＩＣチップが選択的に接続されて非接触ＩＣユニットが構成されることを特徴とする通帳類。
【請求項２】
前記アンテナは複数の頁にそれぞれ配設されることを特徴とする請求項１記載の通帳類。
【請求項３】
前記アンテナは同一の頁に複数配設されることを特徴とする請求項１記載の通帳類。
【請求項４】
前記アンテナは同一の頁に複数配設され、この頁とは異なる頁に一個配設されることを特徴とする請求項１記載の通帳類。
【請求項５】
前記アンテナに対し、前記ＩＣチップは着脱自在に接続されることを特徴とする請求項１乃至４の何れか一項に記載の通帳類。
【請求項６】
前記複数の頁のうちの所定の頁に設けられるアンテナに接続されるＩＣチップは固定され、前記所定の頁とは別の頁に設けられるアンテナに接続されるＩＣチップは着脱自在であることを特徴とする請求項２乃至４の何れか一項に記載の通帳類。
【請求項７】
頁にＩＣチップを設け、
前記ＩＣチップには、必要に応じてアンテナが接続されて非接触ＩＣユニットが構成されることを特徴とする通帳類。
【請求項８】
前記ＩＣチップは複数の頁にそれぞれ配設され、前記アンテナは所望するＩＣチップに選択的に接続されることを特徴とする請求項７記載の通帳類。
【請求項９】
前記ＩＣチップは同一の頁に複数配設され、前記アンテナは所望するＩＣチップに選択的に接続されることを特徴とする請求項７記載の通帳類。
【請求項１０】
前記ＩＣチップは同一の頁に複数配設され、この頁とは異なる頁に一個配設され、前記アンテナは所望するＩＣチップに選択的に接続されることを特徴とする請求項７記載の通帳類。
【請求項１１】
前記ＩＣチップに対し、前記アンテナは着脱自在に接続されることを特徴とする請求項７乃至１０の何れか一項に記載の通帳類。
【請求項１２】
前記複数の頁のうちの所定の頁に設けられるＩＣチップに接続されるアンテナは固定され、前記所定の頁とは別の頁に設けられるＩＣチップに接続されるアンテナは着脱自在であることを特徴とする請求項８乃至１０の何れか一項に記載の通帳類。
【発明の詳細な説明】
【技術分野】
【０００１】
本発明は、アンテナとＩＣチップとで構成される非接触ＩＣユニットを頁に搭載可能な通帳類に関する。
【背景技術】
【０００２】
この種の通帳類としては、アンテナとこのアンテナに接続されるＩＣチップで構成される非接触ＩＣユニットを頁に搭載するものが知られている（例えば、特許文献１参照。）。
【特許文献１】特開平１１−１２９６５９号公報
【発明の開示】
【発明が解決しようとする課題】
【０００３】
しかしながら、従来における通帳類は、アンテナとＩＣチップを頁に固定的に配置して非接触ＩＣユニットを構成していたため、使用目的を異にするＩＣチップをアンテナに接続しようとしても接続することができず、広範囲の使用目的に対応することができないという問題があった。
【０００４】
本発明は上記事情に着目してなされたもので、その目的とするところは、所望する使用目的のＩＣチップを用いて非接触ＩＣユニットを任意に構成できるようにした通帳類を提供することにある。
【課題を解決するための手段】
【０００５】
上記課題を解決するため、請求項１記載のものは、頁にアンテナを設け、前記アンテナには、所望するＩＣチップが選択的に接続されて非接触ＩＣユニットが構成されることを特徴とする。
【０００６】
請求項７記載のものは、頁にＩＣチップを設け、前記ＩＣチップには、必要に応じてアンテナが接続されて非接触ＩＣユニットが構成されることを特徴とする。
【発明の効果】
【０００７】
本発明によれば、所望する使用目的のＩＣチップを用いて非接触ＩＣユニットを構成することができ、広範囲の使用目的に対応することができる。
【発明を実施するための最良の形態】
【０００８】
以下、本発明の実施の形態を図面を参照して詳細に説明する。  
図１は、非接触ＩＣユニット１の構成を示すものである。
【０００９】
この非接触ＩＣユニット１は、ＩＣチップ２とアンテナ３とから構成され、通帳類の頁（表紙及び裏表紙を含む）に搭載可能となっている。アンテナ３の大きさは、ＩＳＯ／ＩＥＣなどの標準規格で定められる場合もあるが、ここでは問わない。
【００１０】
図２（ａ）、（ｂ）は本発明の一実施の形態である通帳類Ｔの異なる頁を開いた状態を示すものである。
【００１１】
通帳類Ｔの各頁にはそれぞれ、予めアンテナ３のみが装着され、ＩＣチップ２は装着されていない。ＩＣチップ２としては、後から所望する使用目的のものが装着されてアンテナ３に接続できるようになっている。
【００１２】
アンテナ３の位置は各頁同じで、通帳類Ｔを閉じた時には各頁のアンテナ３が重なる状態となっている。
【００１３】
この実施の形態によれば、通帳類Ｔの頁にアンテナ３のみを設け、後からこのアンテナ３にＩＣチップ２を接続可能とするため、所望する使用目的、例えば、個人データ用の情報、或いは発行者側の管理用の情報を記録するＩＣチップなどを選択的にアンテナ３に接続することができ、広範囲の使用目的に対応することができる利点がある。
【００１４】
なお、ＩＣチップ２は一度装着すると、壊さない限り取れない構造にしても良いし、必要に応じて、取り外しが可能な構造としても良い。
【００１５】
また、ある頁に関しては、ＩＣチップ２を一度装着すると、壊さない限り取れない構造とし、他の頁では取り外しが可能な構造としても良い。
【００１６】
ＩＣチップ２を取り外し可能な構造にした場合には、使用するＩＣチップ２のみを接続しておくことで、他の非接触ＩＣユニットの影響を抑えることができる。
【００１７】
また、ＩＣチップ２を一度装着すると取れない構造にした場合には、ＩＣチップ２を紛失したり、悪用される心配等を軽減することができる。
【００１８】
図３（ａ）、（ｂ）は本発明の第２の実施の形態である通帳類Ｔの異なる頁を開いた状態を示すものである。
【００１９】
なお、以下に示す各実施の形態においては、上記した第１の実施の形態で示した部分と同一部分については、同一番号を付してその詳細な説明を省略する。
【００２０】
通帳類Ｔの各頁にはそれぞれ、予めＩＣチップ２のみが装着され、アンテナ３は装着されていない。アンテナ３は、後から必要に応じて頁に装着されてＩＣチップ２に接続できるようになっている。
【００２１】
アンテナ３の位置は、各頁とも同じで通帳類Ｔを閉じた時には、各頁のアンテナ３が重なる状態になる。
【００２２】
この第２の実施の形態によれば、通帳類Ｔの頁にＩＣチップ２のみを設け、必要に応じて後からこのＩＣチップ２にアンテナ３を接続可能とするため、所望する使用目的のＩＣチップに対してアンテナ３を選択的に接続してＩＣユニット１を構成することができ、広範囲の使用目的に対応することができる。
【００２３】
なお、アンテナ３は一度装着すると、壊さない限り取れない構造にしても良いし、必要に応じて、取り外しが可能な構造としても良い。
【００２４】
また、ある頁に関しては、アンテナ３を一度装着すると、壊さない限り取れない構造とし、他の頁では取り外しが可能な構造としても良い。
【００２５】
アンテナ３を取り外しができる構造になっていれば、所望する使用目的のＩＣチップにのみアンテナを装着することで、他の非接触ＩＣユニットの影響を抑えることができる。
【００２６】
また、アンテナ３を一度装着すると取れない構造にした場合には、ＩＣチップ２やアンテナ３を紛失したり、悪用される心配等が軽減される。
【００２７】
図４（ａ）、（ｂ）は本発明の第３の実施の形態である通帳類Ｔの異なる頁を開いた状態を示すものである。
【００２８】
図４（ａ）では、頁の上部側に非接触ＩＣユニット１をそのアンテナ３を横向きにした状態で装着し、図４（ｂ）では、図４（ａ）の頁とは異なる頁の下部側に非接触ＩＣユニット１をそのアンテナ３を横向きにした状態で装着している。
【００２９】
この第３の実施の形態によれば、通帳類Ｔを閉じたとき、異なる頁のアンテナ３が、全く重なることがなく、アンテナ３間で結合が起きることがない。従って、各非接触ＩＣユニットの共振周波数がずれることがなく、安定した通信が可能となる。
【００３０】
なお、図２、及び図３で示したように、異なる頁に配設されるアンテナ３の位置が各頁で同じ場合、通帳類Ｔを閉じた時に、それぞれのアンテナ３が重なる。この場合、アンテナ３間で結合が起き、各非接触ＩＣユニットの共振周波数がずれてしまい、安定に通信することができなくなる虞がある。
【００３１】
図５（ａ）、（ｂ）は本発明の第４の実施の形態である通帳類Ｔを異なる頁を開いた状態で示すものである。
【００３２】
図５（ａ）では、頁の上部側に非接触ＩＣユニット１をそのアンテナ３を縦向きにした状態で装着し、図５（ｂ）では、図５（ａ）の頁とは異なる頁の下部側に非接触ＩＣユニット１をそのアンテナ３を縦向きの状態で装着している。
【００３３】
この第４の実施の形態によれば、通帳類Ｔを閉じたとき異なる頁のアンテナ３が多少重なるが、アンテナ３間での結合が少ない。従って、各非接触ＩＣユニット１の共振周波数のずれも少なく、安定した通信が可能となる。
【００３４】
図６（ａ）、（ｂ）は本発明の第５の実施の形態である通帳類Ｔを異なる頁を開いた状態で示すものである。
【００３５】
図６（ａ）では、ある頁に複数の非接触ＩＣユニット１をそのアンテナ３を横向きの状態で平行に装着し、図６（ｂ）では、図６（ａ）と異なる頁に一個の非接触ＩＣユニット１をそのアンテナ３を縦向きの状態で装着している。
【００３６】
この第５の実施の形態によれば、通帳類Ｔを閉じたときには、異なる頁のアンテナ３が多少重なるが、アンテナ３間での結合が少ない。従って、各非接触ＩＣユニットの共振周波数のずれも少なく、安定した通信が可能となる。
【００３７】
なお、上記した各実施の形態では、アンテナ３の大きさを同一としているが、大きさや形状を変えることも可能である。
【００３８】
また、アンテナ配置に関しては、ＩＣチップ２を後から装着する場合と、アンテナ３を後から装着する場合のそれぞれに適用することができる。
【００３９】
上記したように、本発明によれば、ＩＣチップ２もしくはアンテナ３を必要に応じて装着することで、所望する使用目的のＩＣユニット１を任意に構成でき、広範囲の使用目的に対応することができる。
【００４０】
また、複数のアンテナ３の結合を軽減した配置にすることで、複数の非接触ＩＣユニット１が動作する状態でも、問題なく通信することが可能となる。
【００４１】
なお、上記各実施の形態においては、通帳類の頁にＩＣチップ２及びアンテナ３を配設してＩＣユニット１を構成したが、これに限られることなく、カード状の媒体にＩＣチップ２及びアンテナ３を配設してＩＣユニット１を構成するようにしても良い。
【００４２】
また、この発明は、上述した実施の形態そのままに限定されるものではなく、実施段階ではその要旨を逸脱しない範囲で構成要素を変形して具体化できる。さらに、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４３】
【図１】本発明の第１の実施の形態であるＩＣユニットを示す構成図。
【図２】図１のＩＣユニットを搭載可能な通帳類を示す斜視図。
【図３】本発明の第２の実施の形態である通帳類を示す斜視図。
【図４】本発明の第３の実施の形態である通帳類を示す斜視図。
【図５】本発明の第４の実施の形態である通帳類を示す斜視図。
【図６】本発明の第５の実施の形態である通帳類を示す斜視図。
【符号の説明】
【００４４】
１…非接触ＩＣユニット、２…ＩＣチップ、３…アンテナ。
【図１】
2008250531.tif 000003
【図２】
2008250531.tif 000004
【図３】
2008250531.tif 000005
【図４】
2008250531.tif 000006
【図５】
2008250531.tif 000007
【図６】
2008250531.tif 000008